(57)【要約】      （修正有）【課題】上下に動かすだけで簡単に取り付け取り外しができ、又左右水平を保ちゆれても元に戻る軽量なおかつシンプルで窓ガラス等にも取り付けることのできる，Ｖ凹型のミゾ（３）を有する壁側取付板（１）とＶ凸型の挿入部（４）を有する挿入板（２）をセットにした壁掛け装置を提供する。【解決手段】Ｖ凹型のミゾ（３）にＶ凸型の挿入部（４）がぴったりとはめ込める形状とすることにより、ミゾの開口部（５）に挿入部の先端（６）が少しかかるだけで斜め傾斜に沿って導かれるごとく簡単に挿入でき完全にセットされるのを特徴とする。【選択図】図３
2005331093.tif 000002
【特許請求の範囲】
【請求項１】
Ｖ凹型のミゾ（３）を有する壁側取付板（１）を開口部（５）が上になるように柱、壁、窓ガラス等に固定し，Ｖ凸型の挿入部（４）を有する挿入板（２）の先のとがった先端（６）が下になるように柱時計、額、カードケース等、壁にかけることのできるすべての対照物の裏面に固定し、Ｖ凹型のミゾ（３）の大きく開いた開口部（５）にＶ凸型の先のとがった先端（６）の先が引っかかるだけで挿入部（４）が斜め傾斜に沿ってミゾ（３）に滑り込むごとく導かれ、両方がぴったりとはめ込めるようにセットされる。
Ｖ凸型の挿入部（４）はＶ凹型のミゾ（３）にぴったりはめ込める形状であり。Ｖ凸型の挿入部（４）が前後にずれないようにＶ凹型のミゾ（３）の前面にフタ（７）を取り付け、挿入板の横バー（８）の裏面に厚み（１０）を取り付け挿入部（４）と飾るものの間に隙間（１２）を持たせることにより挿入をスムーズにできるように構成された壁掛け装置である。
【請求項２】
Ｖ凹型のミゾ（３）を有する壁側取付板（１）の形状はＶ型，Ｕ型、四角型、その他Ｖ凹型のミゾ（３）を有してさえあれば形状にこだわらない。（請求項１）に記載の壁掛け装置である。
【請求項３】
Ｖ凹型の水平部（９）に小さなミゾをもうけＶ凸型の横バー（８）に小さな突起をもうけることによりさらに安定性を持たせることができる。（請求項１）（請求項２）に記載の壁掛け装置である。
【請求項４】
壁側取付板（１）、挿入板（２）の材質をプラスチック、鋼鉄、ステンレス、アクリル、その他用途に合わせた材質等を使用することで、取り付けたい箇所、飾るものの重量、大きさ、材質に対応することができる。（請求項１）（請求項２）（請求項３）に記載の壁掛け装置である。
【発明の詳細な説明】
【技術分野】
【０００１】  本発明は柱、壁、窓ガラス等に柱時計、額、カードケース等を取り付けるための，Ｖ凹型のミゾを有する壁側取付板と，Ｖ凸型の挿入部を有する挿入板に関するものである。
［背景技術］【０００２】  従来はフックや釘を打ちつけ紐でつるすものがあるが、紐の長さ調節、接触、ゆれによる左右水平バランスのゆがみ、又筒状、穴状、アリ溝を使って取り付けるものがあるが開口部が狭い、開口部と挿入部の隙間が狭いため挿入しにくいという、いずれも取り付け、取り外しに手間がかかる難点があった。又額等を取り外したときフックや釘が見えて見た目も見苦しく、接触して怪我をする可能性もある。
［発明の開示］
［発明が解決しようとする課題］【０００３】  額やカードケースをはずしたとき、壁に残っている釘やフックの見苦しさの解消と、取り付け取り外しに手間と時間がかかる高所での危険作業の時間短縮の利点。材質を変えることであらゆる場所で利用できる、又形状もシンプルなので見た目も美しく製造コストも安価でできる多くの利点がある壁掛け装置を提供するものである。
［課題を解決するための手段］【０００４】  Ｖ凹型のミゾ（３）を有する壁側取付版（１）を開口部（５）が上になるように柱、壁、窓ガラス等に固定し，Ｖ凸型の挿入部（４）を有する挿入板（２）の先のとがった先端（６）が下になるように柱時計、額、カードケース等、壁にかけることのできるすべての対照物の裏面に固定し、Ｖ凹型のミゾ（３）の大きく開いた開口部（５）にＶ凸型の先のとがった先端（６）の先が引っかかるだけで挿入部（４）が斜め傾斜に沿ってミゾ（３）に滑り込むごとく導かれ、両方がぴったりとはめ込みセットすることができる、又Ｖ凹型の水平部（９）２箇所にＶ凸型横バー（８）の接触により左右水平にバランスよく取り付けることができる、さらに接触面（１１）が広いので横揺れしても元に戻るという利点がある。Ｖ凹型のミゾ（３）にＶ凸型の挿入部（４）がぴったりとはめ込める形状こそが本発明の最も主要な特徴とする。
Ｖ凹型のミゾ（３）の前面にフタ（７）をすることによりＶ凸型の挿入部（４）がずれないようにした。
Ｖ凸型の上部横バー（８）に厚み（１０）を取り付け挿入部（４）と飾るものの裏面との間に隙間（１２）を持たせることにより挿入をスムーズにした。
Ｖ凹型のミゾ（３）を有する壁側取付版（１）の形状は，Ｖ型，Ｕ型、四角型、その他Ｖ凹型のミゾ（３）を有してさえあれば、形状は自由である
取り付けたい箇所、飾りたいものの大きさ、重量、材質に合わせてＶ凹型のミゾ（３）を有する壁側取付板、Ｖ凸型の挿入部（４）を有する挿入板の大きさ、ミゾの深さ角度、材質もプラスチック、鋼鉄、ステンレス、アクリル、その他用途に合わせて替えることで対応できる。
Ｖの形状を活用することで作用の効果を生み出すことができた、色も白、赤、黄、青、緑、透明等と使用することで見た目もきれいである、Ｉ  ＬＯＶＥ  ＹＯＵ、サインはＶ，Ｖｉｃｔｏｒｙ等、文字を記しても面白い作品となる。さらに安定性を高めるために壁側取付板水平部（９）に小さなミゾ、挿入板横バー（８）に小さな突起をつけることで可能である。
［発明の効果］【０００５】  Ｖ凹型のミゾ（３）を有する壁側取付板の形状がシンプルであり色もカラフルなので壁に取り付けるだけで部屋のアクセサリーになる。
プラスチック、アクリル等で作成したものは、非常に軽量になるので窓ガラス、鏡等にも両面テープで固定することができる。
取り付け取り外しが容易であり、なお場所により、飾るものによりあらゆる材質のものを利用できるので、保育所や小学校の児童の作品の飾り変え、飲食店のその日のメニューの入れ替え、絵画の展示場での展示替も短時間で行うことができ、非常に利用範囲が広い。形状がシンプルなので製造コストも安くできるなど、数多くの利点がある。
柱時計、額、エアコン等を製造過程でメーカー側がＶ凸型を有する挿入板を固定さえしてあれば、柱や壁に壁側取付板を固定するだけで簡単に取り付けることができる。又大きさ、厚さ、強度、材質等を規格で定めれば、世界中のメーカーが作ったものを、世界中の家庭や職場で利用することができる。
［発明を実施するための最良の形態］【０００６】  左右水平にバランスよく、ずれてもすぐ元に戻る、又上下に動かすだけで簡単に取り付け、取り外すことのできる目的を、Ｖ凹型のミゾ（３）とＶ凸型の挿入部（４）のＶ型の形状を活用してセットで使用することにより実現した。
【図面の簡単な説明】
【０００７】  ［図１］  Ｖ凹型のミゾ（３）を有する壁側取付板
［図２］  Ｖ凸型の挿入部（４）を有する挿入板
［図３］  挿入板が壁側取付板に導かれる過程
［図４］  壁側取付板の自由な形状
［図５］  安定度の高い小さなミゾと突起
［図６］  Ｖ字マークのデザイン活用
【符号の説明】
【０００８】  １  壁側取付板          ５  開口部              ９  水平部
２  挿入板              ６  先端              １０  厚み
３  Ｖ凹型のミゾ        ７  フタ              １１  接触面
４  Ｖ凸型の挿入部      ８  横バー            １２  隙間
【図１】
2005331093.tif 000003
【図２】
2005331093.tif 000004
【図３】
2005331093.tif 000005
【図４】
2005331093.tif 000006
【図５】
2005331093.tif 000007
【図６】
2005331093.tif 000008